(57)【要約】【課題】乗務員が、ドアを閉めるとき、ドアの下端部と床との間には小さな隙間（穴）しかないため、あやまってドアの下端部の端に手を掛けて閉めることが多かった。下端部に手をかけると指を挟むことがあり、怪我の原因となる。本発明はこのような場合に怪我が無く、ドアも確実に閉めることのできる鉄道車両用指詰め防止用ドアを提供する。【解決手段】  乗務員が出入りするドアの下部に凹部３が設けられ、該凹部３の奥の縦方向に傾斜３ａが形成されると共に該縦の傾斜面３aの下端から上方にかけて同じ連続する傾斜面３ｂ、３ｃが形成され、前記凹部３には、人の手で握れる程程度の太さの棒４を横に通してある構成とする。【選択図】  図２
2014043173.tif 000002
【特許請求の範囲】
【請求項１】
乗務員が出入りするドアの下部に凹部３が設けられ、該凹部３の奥の縦方向に傾斜３ａが形成されると共に該縦の傾斜面３aの下端から上方にかけて同じ連続する傾斜面３ｂ、３ｃが形成され、前記凹部３には、人の手で握れる程程度の太さの棒４を横に通してあることを特徴とする鉄道車両の乗務員用指詰め防止用ドア
【請求項２】
乗務員が出入りするドア２には下部に凹部３が設けられ、該凹部３の奥に縦方向の面３ａが形成され、該凹部３のこの傾斜面の下部には外側に傾斜する斜面３ｂが形成され、該凹部３の上面には外側に傾斜する斜面３cが形成されると共該傾斜面の外側端部には手を掛られる程度の突起３dが形成されてなることを特徴とする鉄道車両の乗務員用指詰め防止用ドア。
【発明の詳細な説明】
【技術分野】
【０００１】
本発明は、鉄道車両において特に運転室や車掌室等に車両外からドアを介して出入りする際ドアを開閉する場合、特に車掌や運転士或いは車両修理の作業員等の指詰めを防止する指詰め防止用ドアに関する。
【背景技術】
【０００２】
鉄道車両には、車掌や運転士（以下、乗務員とする）のみが出入りする部屋がある。この部屋は乗客とは別の専用の出入り口があり、プラットホーム側からも、線路側からも乗降できるようにしてある。但し、車両整備の際は、作業員も出入りする。ドアの開閉は、内側へ開き乗務員ドアの、落とし窓付近にあるハンドルを使用して行う。プラットホーム側からも、線路側からもこのハンドルを使用するのが基本である。図４は、乗務員が線路側へ降りる場合の斜視図であるが、両手で、ドアの縦向きの手すり（３１，３２）を握って身体を保持し、降りてから手でハンドルを回してドアを閉める。そして車両用のドアは、重くまたラッチも硬めであるからしっかり力を入れなければうまく閉めることが出来ない。特に車外へ出る際には、１．車外へ出る。２．ドアを閉める。という２ステップ化が重要である。特に、ドアを閉める動作が線路に立った状態で出来るようにすることが重要である。
【０００３】
図５は、従来の車両１の運転席の前部の斜視図の一部である。図６は、図５のＢ―Ｂの矢視断面拡大図である。この図７に示すように、運転手や車掌は運転室や車掌室等に室外からドア３３を開けて出入りする。そして車両１とドア３３との間にはヒンジ３０が置かれ、ドア３３はこのヒンジ３０を回転中心として回転するようにしてある。また、これらの図から判るようにドア３３は内開き構造である。
【０００４】
鉄道車両等において、運転士等の乗務員は、鉄道車両の外や内側から出入りし、指詰めを防止する必要がある。そのため図５に示すようにドア３３の下部に手を掛ける凹部３３aが設けてある場合があるが、あやまってドア３３下部とレール３６との間３３bに手をかけて閉めることが多い。    
【先行技術文献】
【非特許文献】
【０００５】
図５及び図６の従来技術の図例（図４，図５、図６、図７）。
【発明の概要】
【発明が解決しようとする課題】
【０００６】
鉄道車両では、上記するように、乗務員や作業員のみが出入りする乗務員専用の部屋（運転室や車掌室）があるが、この部屋には外からも出入りできるようになっている。すなわち、図４に示すように、車両の運転室に室内に開くドア３３があり、運転手や車掌が鉄道車両の側面に設けられたこれらの２本のバー３１，３２に手を掛け、車両の下側に設けられた梯子３４に足を掛けてドア３３のバー３１、３２を握ってドア３３を押し開けて部屋に入り、またドア３３を閉めて出る。出る場合は、ドア３３の下端部を手で引っ張ってしっかり閉める。このようなドア３３を閉めるために、図５に示すようにドアの下部には手を掛けやすいように凹状の穴３３aを設けてあるタイプのドアもある。
【０００７】
しかし、ドア３３を閉めるとき、下部に設けた凹部の穴３３aに手を掛けるが、この場合、凹部の穴３３aを使う時と同じ手の向き、同じ動作としてあやまって
ドア３３の下端部の端３５に手を掛けて閉めることが多かった。このドア３３の下端部と床との間には小さな隙間（穴）３５しかないため、下端部に手をかけると指を挟むことがあり、怪我の原因となる。また、図７に示すように閉めるときドア３３の下端部と水密用レール３６との間に指を挟む原因ともなる。
【０００８】
本発明はこのような場合に怪我が無く、ドア３３も確実に閉めることのできる鉄道車両の乗務員用指詰め防止用ドアを提供することを目的とする。
【課題を解決するための手段】
【０００９】
本発明は、上記課題を解決するために、請求項１に記載の発明は、鉄道車両の乗務員用指詰め防止用ドアが、乗務員が出入りするドアの下部に凹部３が設けられ、該凹部３の奥の縦方向に傾斜３ａが形成されると共に該縦の傾斜面３aの下端から上方にかけて同じ連続する傾斜面３ｂ、３ｃが形成され、前記凹部３には、人の手で握れる程程度の太さの棒４を横に通してあることを特徴としている。
【００１０】
請求項２に記載の発明は、鉄道車両の乗務員用指詰め防止用ドアが、乗務員が出入りするドア２には下部に凹部３が設けられ、該凹部３の奥に縦方向の面３ａが形成され、該凹部３のこの傾斜面の下部には外側に傾斜する斜面３ｂが形成され、該凹部３の上面には外側に傾斜する斜面３cが形成されると共該傾斜面の外側端部には手を掛られる程度の突起３dが形成されてなることを特徴としている。
【発明の効果】
【００１１】
本願発明の鉄道車両の乗務員用指詰め防止用ドアを上記手段とすると、ドア２に指を挟むことなく安全に開閉することができる。特に、図３に示すようにドア２に設けた凹部３の底面３ｂと、天井面３cの手前を低くなるように形成すれば製作費用や製作手間も安くなるため製作コストを低減することができる。また、凹部３に雨水が溜まることもない。上記したように凹部３の底面のみを下方の傾斜面３ｂとした場合も同様である。
【図面の簡単な説明】
【００１２】
【図１】（Ａ）は、本発明の鉄道車両の乗務員用指詰め防止用ドアの正面図である。図１（Ｂ）はＡ―Ａの断面図である。
【図２】図２は本発明の鉄道車両の乗務員用指詰め防止用ドアの実施例の斜視図である。
【図３】図３は、図１（A）のＡ―Ａの断面図と同様の他の鉄道車両の乗務員用指詰め防止用ドアの断面図である。
【図４】図５は乗務員が乗降する場合の従来のドア部分の外部の斜視図である。
【図５】図６は、従来の乗務員用のドア部分の斜視図である。
【図６】図７は、従来の乗務員用のドア部分の図５のＢ―Ｂの断面図である
【図７】図８は、従来の乗務員用のドア部分の縦断面図である。
【発明を実施するための形態】
【００１３】
以下、本発明の具体実施の形態について図面を参照して説明する（一部の符号は従来の符号と共通とする）。図１（Ａ）は、本発明の鉄道車両の乗務員用指詰め防止用ドアの正面図であり、図１（Ｂ）は図１（（Ａ）の下部のＡ−Ａの断面図である。図２は本発明の指詰め防止用ドアの下部の斜視図であり、鉄道車両の乗務員用指詰め防止用ドアの断面図である。
【００１４】
本発明は、鉄道車両の指詰め防止用ドアの第１の実施の形態である。２は車掌等が出入りするドアであり、ドア２の下部に凹部３が設けられている。そして該凹部３の下端から上方にかけて図３（B）に示すように、凹部３の奥の縦方向の面３aには、同じ方向に連続する傾斜面３a、３ｃが形成されている。また、前記凹部３には、人の手で握れる程度の太さの棒４を横に通してある。ドア２を開閉する時にはこの棒４を握って開閉する。
【００１５】
図３は、の本発明の変形実施例であり、図１（A）のＡ―Ａの断面図と同様ドアの断面図である。
前記ドア２には下部に凹部３が設けられ、該凹部３の奥に縦の平面３ａが形成され、下面と上面には下方の傾斜面３ｂ、３ｃが形成され、上面の前部先端部には手を掛られる程度の突起３dが形成されている。すなわち、運転手が降りてからこのドア２の突起３dに手おかけ、ドア２を閉めることができるようにしてある。この実施例は、棒４を用いない場合に実施することが出来る。
【００１６】
図１に示す場合、凹部３に設ける棒４は運転手や車掌が手を掛けることの出来れば丸棒４ではなく、楕円のように角がなくなめらかな棒材であれば他の形状でも良い。また、図３に示すように、丸棒４等は無く、手で掛ける物なら薄い板をなめらかに曲げたものでも良い。図３に示すような実施例の場合、下面には外向きの傾斜面３bが形成され、上面には横方向で外向きの傾斜面３cが設けられ、前部先端部には手を掛られる程度の突起３dが形成されるものであっても良い。すなわち、手を掛けられるものなら丸棒４を、図１（b）のように凹部３に用いるか、または用いないで図３のようにするかある程度自由に選択することができる。
【産業上の利用可能性】
【００１７】
乗務員用のドアの安全が向上するのでその分車両関係の販売数が多くなり、需要が喚起される。そして産業活動が活発となる。
【符号の説明】
【００１８】
１    鉄道車両
２    ドア
３    凹部
３ａ  傾斜面
３ｂ  凹部下方の傾斜面（底面）
３ｃ  凹部上面（天井面）
３ｄ    凹部下方の傾斜面の先端部
４    丸棒
３１  バー
３２  バー
３３  従来のドア
３４  梯子
【図１】
2014043173.tif 000003
【図２】
2014043173.tif 000004
【図３】
2014043173.tif 000005
【図４】
2014043173.tif 000006
【図５】
2014043173.tif 000007
【図６】
2014043173.tif 000008
【図７】
2014043173.tif 000009